(57)【要約】【課題】原稿画像の明部に挟まれた暗部を自動的に判別し、原稿画像の明部にあってもフレアの影響のない黒線の忠実な再現を可能とする。【解決手段】原稿画像の複数の読取り走査ラインごとの画素データを保持するデータ保持手段と、プレスキャン時に、原稿画像の副走査方向に明部で挾まれた暗部を有する走査ラインを判別する原稿画像判別手段２３と、この原稿画像判別手段の判別結果に従い、本スキャン時に、該当ラインのデータから予め設定された比率の隣接した明部の画素の濃度レベルを減算するライン間演算手段２４とを有する。【選択図】図５
2004120796.tif 000002
【特許請求の範囲】
【請求項１】
　原稿面を走査することにより反射又は透過した光を結像レンズにより集光して光電変換素子に入射させ、電気信号による画像データを得る画像読取り装置において、原稿画像の複数の読取り走査ラインごとの画素データを保持するデータ保持手段と、プレスキャン時に、原稿画像の副走査方向に明部で挾まれた暗部を有する走査ラインを判別する原稿画像判別手段と、この原稿画像判別手段の判別結果に従い、本スキャン時に、該当ラインのデータから予め設定された比率の隣接した明部の画素の濃度レベルを減算するライン間演算手段とを有することを特徴とする画像読取り装置。
【請求項２】
前記ライン間演算手段には、白基準板内に設けた読み取り解像度に対応した黒ラインを設け、読取り動作ごとに前記明部の濃度レベルの減算比率を算出すると共に、この減算比率を補正用記憶部に格納することを特徴とする請求項１に記載の画像読取り装置。
【請求項３】
前記ライン間演算手段は、減算された暗部の画素データが黒基準データより小さい場合に、暗部の画素データを黒基準データに変更することを特徴とする請求項１又は２に記載の画像読取り装置。
【請求項４】
前記原稿画像判別手段は、原稿画像の主走査方向の同一の読み取り位置で明部が連続した後の最初の暗部を有するライン、又は暗部を有するラインの後に明部が連続する場合の最後の暗部ラインを判別し、前記ライン間演算手段は、原稿画像判別手段の判別結果に従い、本スキャン時に、該当ラインの暗部の画素データから予め設定された比率の隣接した明部の画素データの濃度レベルを減算することを特徴とする請求項１に記載の画像読取り装置。
【請求項５】
前記ライン間演算手段には、原稿画像判別手段が暗部又は明部と比較する基準値を任意に設定可能な外部支持入力手段が設けられていることを特徴とする請求項１又は２に記載の画像読取り装置。
【発明の詳細な説明】
【技術分野】
【０００１】
　本発明は、デジタル複写機、電子ファイル装置などに適用される高品質な画像を取り込み可能な画像読取り装置に関するものである。
【背景技術】
【０００２】
　従来、一行の読取り走査ラインのデータを複数のＣＣＤで同時に読み取り、平均化することによりＳ／Ｎ比を改善したものがある（特開平４−３３７９６７号）。また、Ａ／Ｄ変換前にガンマ補正を行い、低レベル部を伸長させることにより低レベル部の階調を維持するようにしたものがある（特開平５−２８４３５４号）。さらに、読取り走査ラインの画素データを演算処理することによりＳ／Ｎ比を向上させたものがある（実開平５−７６１７０号）。
【特許文献１】特開平４−３３７９６７号公報
【特許文献２】特開平５−２８４３５４号公報
【特許文献３】実開平５−７６１７０号公報
【発明の開示】
【発明が解決しようとする課題】
【０００３】
　画像読取り装置は、その性格上、暗部における画像データが不安定でノイズが目立ち、階調がきれいに再現されない。そこで、従来はノイズを低減するために、光源の光量の増大、読取りセンサ（ＣＣＤ）の冷却、複雑かつ大規模な信号処理等を実施することにより電力あるいはコストを費やしている。また、安定した読取りデータを得るために、読取り動作を遅くしたりしている。最近の高速化に伴い、ＣＣＤ出力が偶数画素と、奇数画素とに分けられているものが多いが、レジスタのばらつきによる暗部での縦筋が生じている。また、明部の中の黒線等の副走査方向のフレア光により線が細くなることがある。上記従来の手段では、いずれも読み取った原稿の画像データに拘わらず、明部が多い場合でも、ＣＣＤは十分な信号が得られるように低速クロックで駆動したり、原稿全面にわたって積算平均化を行う等、読取り速度を上げることも困難である。そこで、本発明は、人間の視覚が暗部で解像度を低下させても画質の低下として捉えにくいことを利用して、読み取る原稿の画像に連続した暗部があるか否か、明部の中に主走査方向の黒筋があるか否かを判別すると共に、連続した暗部がある場合には読取り速度を下げることなく、階調をきれいに、かつ縦筋を発生させず、明部の中の黒線を確実に読み取ることができる画像読取り装置を提供することを課題としている。
【課題を解決するための手段】
【０００４】
　上記課題を解決するため、第１の発明においては、原稿画像の複数の読取り走査ラインごとの画素データを保持するデータ保持手段と、プレスキャン時に、原稿画像の副走査方向に明部で挾まれた暗部を有する走査ラインを判別する原稿画像判別手段と、この原稿画像判別手段の判別結果に従い、本スキャン時に、該当ラインのデータから予め設定された比率の隣接した明部の画素の濃度レベルを減算するライン間演算手段とを具備させた。第２の発明においては、ライン間演算手段には、白基準板内に設けた読み取り解像度に対応した黒ラインを設け、読取り動作ごとに明部の濃度レベルの減算比率を算出すると共に、この減算比率を補正用記憶部に格納するように画像読取り装置を構成した。第３の発明においては、ライン間演算手段は、減算された暗部の画素データが黒基準データより小さい場合に、暗部の画素データを黒基準データに変更する用に構成した。第４の発明においては、原稿画像判別手段が、原稿画像の主走査方向の同一の読み取り位置で明部が連続した後の最初の暗部を有するライン、又は暗部を有するラインの後に明部が連続する場合の最後の暗部ラインを判別し、ライン間演算手段が、原稿画像判別手段の判別結果に従い、本スキャン時に、該当ラインの暗部の画素データから予め設定された比率の隣接した明部の画素データの濃度レベルを減算するように構成した。第５の発明においては、ライン間演算手段に、原稿画像判別手段が暗部又は明部と比較する基準値を任意に設定可能な外部支持入力手段を設けた。
【発明の効果】
【０００５】
　以上のように、第１の発明においては、読取り原稿画像データに副走査方向の連続した明部の中に１ラインの暗部があるか否かを判別する原稿画像判別手段と、この原稿画像判別手段が暗部を判別した場合に、暗部を有するラインの画像信号から予め設定された比率を隣接した明部データに乗算した値を減算するライン間演算値手段とを設けることにより、原稿画像の明部に挟まれた暗部を自動的に判別し、原稿画像の明部にあってもフレアの影響のない黒線の忠実な再現が可能になる。第２の発明においては、画像読取り装置内の白基準板内の読取り解像度に対応する一の黒線を設け、読取り動作ごとに明部の減算比率を求め、この減算比率を補正用記憶素子に格納することにより、黒細線の再現を確実に行うことができる。第３の発明においては、減算された暗部データの最小値を黒基準データと同一とすることで、白黒の反転することのない安定した黒を再現できる。第４の発明においては、読取り画像データに副走査方向の連続した明部から最初に現れる暗部のライン又は、暗部を有するラインの後に明部が連続する場合の最後の暗部ラインを判別する原稿画像判別手段と、この原稿画像判別手段が前述の条件に該当する暗部を判別した場合に、そのラインの画像信号から予め設定された比率の明部データを減算するライン間演算手段とを設けることにより、原稿画像データを自動的に判別し、フレア光の影響を受けずに原稿画像の明部と暗部との境を明瞭に再現することが可能である。第５発明においては、外部指示入力手段を設けて、原稿画像判別手段が暗部又は明部を判別する比較値（基準値）を任意に設定できるので、原稿の紙の種類、使用環境が変わった場合でも良好に暗部又は明部の判別ができる。
【発明を実施するための最良の形態】
【０００６】
　本発明の実施の形態を図面を参照して説明する。図１において、画像読取り装置２０は、原稿１が載置されるコンタクトガラス２と、原稿１からの反射光を所定位置に導くミラー３と、原稿１を主走査する光を照射する光源４と、原稿１を副走査するためにコンタクトガラス２を移動させるモータ５と、ミラー３により導かれた反射光を集光して像を結ばせる結像レンズ６と、結像した画像を光電変換するＣＣＤ７と、ＣＣＤ７の転送クロック成分を取り除くサンプルホールド回路８と、画像信号をデジタル信号に変換するＡ／Ｄ変換回路９と、予め補正メモリに記憶されたデータを画素ごとに読み出して演算することによりＣＣＤ７の画素ごとの暗出力を補正する暗出力補正回路１０と、予め記憶されているデータを補正メモリから読み出して画素ごとに演算することにより、照明系、結像系における明るさのばらつきやＣＣＤ７の感度のばらつき等を補正するシェーディング補正回路１１と、必要に応じて主走査方向の密度変換を行う線密度変換回路１２と、信号を出力装置あるいは記憶装置へ出力するインターフェイス１３と、光源４を駆動させる光源駆動回路１４と、モータ５を駆動するモータ駆動制御回路１５と、多値画像においてもＣＣＤ７の十分な出力を得るような光蓄積時間に設定してこれを駆動するＣＣＤ駆動回路１６と、原稿画像の読取り走査ラインごとに画素の黒色濃度レベル（以下画素レベルという）が黒基準レベル近傍の連続した複数（ｎ）の画素（暗部）を判別する原稿画像判別手段１７と、原稿画像判別手段１７の判別結果に従い、読み取った走査ラインの画像信号を所定数（ｎ）の画素ごとに積算平均化し、平均化した濃度レベルの新たな画素信号を同数（ｎ個）出力する積算平均化手段１８とを備えている。
【０００７】
　この画像読取り装置２０は、コンタクトガラス２上に載置された原稿１に光源４で照明光を当て、その反射光をミラー３及び結像レンズ６を介してＣＣＤ７に導き、ＣＣＤ７の面上に原稿画像を結像させる。光源４は主走査のために光源駆動回路１４で駆動され、またコンタクトガラス２は副走査のためにモータ５でＸ方向に移動する。ＣＣＤ７の出力信号はサンプルホールド回路８でセンサの転送クロック成分を取り除き、その出力をＡ／Ｄ変換回路９でデジタル信号に変換する。Ａ／Ｄ変換出力は、暗出力補正回路１０において補正メモリに予め記憶されたデータを画素ごとに読み出し、演算することによりＣＣＤ７の画素ごとの暗出力が補正され、シェーディング補正回路１１で照明系、結像系による明るさのばらつき、ＣＣＤ７の感度のばらつき等を補正する。これも暗出力の補正と同様に予め記憶されているデータを補正メモリから読み出して画素ごとに演算して行う。線密度変換回路１２により主走査方向の密度変換を必要に応じて行い、インターフェイス１３を通じて出力装置あるいは記憶装置へ出力信号を送る。
【０００８】
　図２に示すように、ＣＣＤ７のラインごとの出力信号（ｉ）は、感光部がなく転送部のみの画素の出力ＤＳ（Ｅ）と、感光部が光シールドされた画素の出力ＤＳ（Ｓ）と、これに続く読み取った原稿画像データＤの信号とから成る。このＣＣＤ７の出力信号（ｉ）はサンプルホールド回路８により転送クロック成分が取り除かれてアナログ信号（ｉｉ）に変換される。このサンプルホールド回路８の出力信号（ｉｉ）を、図示しない別のサンプルホールド回路により信号ＤＳ（Ｅ）を検出保持し、Ａ／Ｄ変換回路９の上限のリファレンス電圧として保持し、また白色基準板を読み込んだときの出力のピーク電圧を図示しないサンプルホールド回路で検出保持し、Ａ／Ｄ変換回路９の下限のリファレンス電圧とすることによって、Ａ／Ｄ変換回路９のダイナミックレンジが決定される。
【０００９】
　原稿画像判別手段１７においては、先ず図示しない増幅器で増幅したサンプルホールド回路８の出力信号を、予め設定された基準電圧と比較して、原稿の暗部（黒基準レベル近傍の黒色濃度を有する暗レベルの範囲内の画素）であるか否かの判別を行う。基準電圧値とは、黒基準レベルよりも僅かに大きい値（デジタル値で数デジット分であり、例えば白レベルを２５６デジットとした場合には５デジット程度）であり、個々のシステムごとに実験的に決定される。図３に示すように、原稿画像判別手段１７の比較器１７ａは、予め設定されたリファレンス電圧値Ｖref を基準に画像データ信号の大小を比較する。この比較結果は、ラッチ回路１７ｂによりクロックＣＬＫでラッチされる。クロックＣＬＫは、遅延回路１７ｄでサンプルホールド回路８のホールドパルスより位相が遅れており、画素データの信号に同期した周期を有する。ラッチ回路１７ｂは画素データ信号をラッチすることより暗レベルの画素データ信号を検出して、「Ｈ」を出力する。計数器１７ｃは、ラッチ回路１７ｂの出力信号を受けて、「Ｈ」の信号がｎ個連続したら、「Ｈ」の出力信号Ｃout を発生し、暗部であることを判別する。本実施形態では、暗レベルが３画素以上続いた場合を暗部と判別する。例えば、図４に示すように、画像データ信号が細線Ａのように変化した場合、ラッチ回路１７ｂの出力はクロックの１サイクル分が「Ｈ」となり、計数器１７ｃの出力Ｃout は「Ｌ」となる。画像データ信号が太線Ｂのように変化した場合、ラッチ回路１７ｂの出力はｔ1からｔ3の間のクロック３サイクル分が「Ｈ」となり、計数器出力Ｃoutが「Ｈ」となる。暗部が連続する間、計数器１７ｃの出力Ｃoutは「Ｈ」が連続する。ここで、計数器１７ｃには、暗部と判別するのに必要な連続画素数が予め設定されている。
【００１０】
　積算平均化手段１８は原稿画像判別手段１７の出力Ｃoutを受ける。積算平均化手段１８は、原稿画像判別手段１７の出力Ｃoutにより暗部と判別された連続するｎ個の画素データの積算平均化を行い、新たな画素データとしてｎ個出力する。この積算平均化手段１８においては、図５に示すように、信号の入出力タイミングが、クロックＣＬＫに基づく。積算平均化手段１８には、１走査ラインにおける１画素ごとの画像データ信号Ｄ１，Ｄ２，・・・が連続的にデータ信号ａとしてクロックＣＬＫと同期して取り込まれる。この画像データ信号Ｄ１，Ｄ２，・・・に基づき、積算回数ｎ＝３としたときに、暗レベルの画素が連続して３画素になると制御信号ｂが生成され、同時に２画素分の期間継続する制御信号ｃが生成される。この制御信号ｂ，ｃに基づいて積算処理が実行される。積算を行わない場合、つまり原稿画像判別手段１７により暗部が判別されなかった場合には制御信号ｂ，ｃは生成されず、Ａ／Ｄ変換回路９の出力は積算平均化手段１７からそのまま直接暗出力補正回路１０に出力される。一方、積算が行われる場合（図５において、画素Ｄ1からＤ３までが暗レベル）には、図６に示すように、画素データＤ１は積算平均化手段１８の遅延素子１８ａと記憶素子１８ｂとに書き込まれる。遅延素子１８ａは順次画素データを取り込み、また記憶素子１８ｂは原稿画像判別手段１７の比較器１７ａの出力Ｃoutが「Ｈ」の期間のみ画素データを取り込む。画素データＤ２の入力タイミングで、記憶素子１８ｂから画素データＤ１が読み出されると同時に画素データＤ２に積算され、再び記憶素子１８ｂに書き込まれる。そして、第３の画素データＤ３が暗部と判別されて信号ｂが「Ｈ」となると、画素データＤ３がＤ１＋Ｄ２に積算されて記憶素子１８ｂに書き込まれ、この後平均化回路１８ｃにより平均化されてラッチ回路１８ｄによりラッチされ、新たな画素データＮＤ１が暗出力補正回路１０側に出力される。ここで、データＤ４が暗部と判別されずに連続する暗部データが途絶えると、制御信号ｃによりＮＤ１が第２，第３の画素データとして引き続き繰り返して出力される。また、画素データＤ５からＤ８までの４つの画素データが連続して暗部と判別されると、第３の画素データＤ７の読み出し時に記憶素子１８ａの画素データＤ５＋Ｄ６に積算されて記憶素子１に書き込まれ、新たに平均化されたデータＮＤ２が出力され、さらにデータＤ８の読み出し時にデータＤ６＋Ｄ７に積算されて記憶素子１８ｂに書き込まれ、新たに平均化されたＮＤ３が第２，第３の画素データとして引き続き繰り返して出力される。以降、上述の動作が繰り返される。また、暗部と判別されない画素データＤ４は、遅延素子１８ａで例えば２画素分遅延して選択手段１８ｅにより選択され、そのまま出力される。このとき、記憶素子１８ｂは、画素データを取り込まない。なお、本実施形態では暗部判別の条件数ｎを３に設定したが、これ以外の数を設定した場合も同様に処理される。また、データバス（ビット数）は積算時に増加するが、積算される値がごく小さい（黒レベル近傍）ので予め余分に用意する必要がない。
【００１１】
　他の実施形態を図７に示す。本実施形態においては、積算平均化手段２７に、複数ライン分（ここでは３ライン）のライン記憶素子２７ａ，２７ｂ，２７ｃを備え、副走査方向に暗レベルの画素データが連続した場合に、暗部と判別して、積算平均化を行う。即ち、ライン記憶素子２７ａに書き込まれた第１ラインデータＬ１は、次の第２ラインデータＬ２の読み込みと同時にライン記憶素子２７ｂに書き込まれ、その次の第３ラインデータＬ３の読み込みと同時に記憶素子２７ｃに書き込まれる。従って、３つのラインデータの読み込みが完了すると、ライン記憶素子２７ａにはラインデータＬ３が、ライン記憶素子２７ｂにはラインデータＬ２が、ライン記憶素子２７ｃにはラインデータＬ１が記憶される。これと同時に、ＣＣＤ７で読み出されたラインデータは、副走査方向に暗レベルの画素データが複数（例えば、左記の実施形態と同様に３つ）連続した場合に、暗部と判別して、積算平均化回路２７ｄで３つのライン分の積算平均化データが順次求められる。
【００１２】
　記憶素子２７ｃからの生のラインデータは、比較器２７ｅにより一画素ごとに黒基準レベル近傍の基準値Ｖrefと比較される。また、積算平均化データは、比較器２７ｆで基準値Ｖref2と比較される。これらの比較結果から、切替出力回路２７ｇは、生のラインデータの画素レベルが比較器２７ｅの基準値Ｖrefよりも大きい場合には生の画素データを、また比較器２７ｅの基準値Ｖrefよりも小さい場合にはライン積算平均化データを、暗部と判別されたライン群の先頭ラインの画素データとして出力する。
【００１３】
　例えば、図８に示すように、注目ラインにおいて、任意の画素レベルがＤｌ１＜Ｖref、Ｄｍ１＜Ｖref、Ｄｎ１＞Ｖrefであり、Ｄｌ１，Ｄｌ２，Ｄｌ３の積算平均化データをＤ１ａ、同じくＤｍ１，Ｄｍ２，Ｄｍ３のそれをＤｍａ，同じくＤｎ１，Ｄｎ２，Ｄｎ３のそれをＤｎａとして、比較結果がＤｌａ＜Ｖref2、Ｄｍａ＞Ｖref2、Ｄｎａ＜Ｖref2であったとする。このとき、主走査方向の同一位置の画素データＤｌ１，Ｄｌ２，Ｄｌ３は暗部と判別され、注目ラインのデータとして平均化されたＤｌａが出力されるが、主走査方向の同一位置のＤｎ１，Ｄｎ２，Ｄｎ３は暗部と判別されても生の画素データＤｎ１が基準値Ｖrefよりも大きいために画素データＤｎ１がそのまま出力される。また、画素データＤｍは暗部と判別されないのてでＤｍ１がそのまま出力される。これによって、原稿画像判別手段を図１の画像読取り装置に適用すれば、その出力画像データの主副両走査方向の暗部のばらつきが低減される。
【００１４】
　図９に他の実施形態を示す。なお、以下の図において図１に示す構成部分と同一のものには同一の符号を付して説明を省略する。この画像読取り装置においては、先の積算平均化手段１８に代えて、ＣＣＤ駆動制御手段１９を設けると共に、本（ファイン）スキャンの前に予備スキャンを行い、予備スキャン時に原稿画像判別手段１７が原稿画像の暗部を判別する。そして、暗部を判別すると、ＣＣＤ駆動制御手段１９に信号を出力し、ＣＣＤ駆動制御手段１９がＣＣＤ駆動制御手段１６の駆動クロックを所定の周波数に低下させて画像の読み取りを行う。
【００１５】
　図１０にＣＣＤ駆動制御信号（一部）の例を示す。ａは、ＣＣＤの電荷を転送レジスタに転送するための転送パルスであり、周期Ｔintが光蓄積時間になる。ｂは転送レジスタの電荷を読み出すための駆動クロックCLKである。ここで、ＣＣＤの画素数をｈとすると、周期Ｔintの期間が必要とされるクロック数は最低ｈ×CLKとなる。ｃは、ＣＣＤ駆動制御手段１９により周波数を低下させた駆動クロックである。
【００１６】
　暗部が判別されない通常の場合、図１０の信号ａ，ｂを用いて駆動する。実際の装置には、他にリセットパルス、転送レジスタが複数ある場合は転送レジスタに駆動クロックを夫々必要とするが、ここでは説明を省略する。原稿画像判別手段１７が暗部と判別したラインを読み取るとき、ＣＣＤ駆動制御手段１９は駆動クロックの周波数を低下させたクロックｃを生成し、画像データを読み出す。なお、CLKの周波数はＴintの期間でＣＣＤ有効画素のデータが全て読み出せるように設定されている。
【００１７】
　図１１に他の実施形態の画像読取り装置を示す。この画像読取り装置２０においては、先のものと異なるＣＣＤ駆動制御手段２１と、ビット演算手段２２とを備えている。予備スキャン時に原稿画像判別手段１７が画像の暗部を判別すると、ＣＣＤ駆動制御手段２１に信号を出力し、ＣＣＤ駆動制御手段２１がＣＣＤの駆動クロックを所定の周波数に低下させて画像の読み取りを行う。このとき、ＣＣＤ駆動制御手段２１は、図１０に示すように、周波数を先の実施形態のものよりさらに低下させた駆動クロックｅと、周期を変更させた転送パルスｄを生成する。このとき、転送パルスの周期Ｔint2＝Ｔint×２ｋ（ｋは正の整数）となるように制御する。ここではｋ＝１としている。そして、ビット演算手段２２は駆動信号ｄ，ｅによって得られた画像信号を初期の駆動条件ａ，ｂで得られるデータに正規化すべく、２ｋ（ここではｋ＝１）で除算する。
【００１８】
　図１２に他の実施形態の画像読取り装置を示す。この画像読取り装置においては、判別法が先の実施形態と異なる原稿画像判別手段２３と、積算平均化手段１８の代わりに少なくとも５つのラインデータ保持装置を有するライン間演算手段２４とを備えている。そして、本スキャン前に予備スキャンを行い、予備スキャン時に原稿画像判別手段２３は原稿の暗部を判別する。原稿画像判別手段２３が原稿内の副走査方向に連続した明部に挟まれた暗レベルのデータラインを暗部と判別すると、このデータラインのアドレスを記憶すると共に、暗部と隣接したデータラインのデータを保持する。本スキャンにおいて原稿画像判別手段２３は当該データラインに到達すると、ライン間演算手段２４に信号を出力し、ライン間演算手段２４が当該暗部と副走査方向に隣り合う明部のラインデータに所定の比率を乗算した値を当該データラインのデータから減算して画像の読み取りを行う。
【００１９】
　この画像読取り装置においては、便宜上５つのデータラインごとに処理することとする。図１３に示すように、ラインデータ群ａは、データラインＬ１，Ｌ２，Ｌ４，Ｌ５が明部でＬ３のみ暗部とする。ラインデータ群ａからデータラインの周期の１／３程度の時定数を有する図示しない積分器により信号ｂが生成される。信号ｂは白基準レベル近傍の基準値Ｖｈ、及び黒基準レベル近傍の基準値Ｖｌにより２値化された後、データラインとの同期信号によってラッチされて信号ｃが生成される。信号ｃは、図１４に示すように、計数器２３ａ，２３ｂにイネーブル信号として供給される。信号ｃと同時に５ライン期間のゲート信号ｄが生成され、ラッチ回路２３ｃ，２３ｄ，２３ｅ，２３ｆのイネーブル信号として供給される。計数器２３ａ，２３ｂは信号ａに同期したライン期間のほぼ中央で発生する図示しないパルスを計数し、計数器２３ａが２パルス、計数器２３ｂが１パルス計数すると、ラッチ信号ｄを出力する。ラッチ回路２３ｃ，２３ｄ，２３ｅの出力ｅ，ｆ，ｇは、ゲート２３ｇが「Ｈ」となって明部に挟まれた１ラインの暗部を判別する。ここで、暗部が２ライン以上連続した場合、ラッチ回路２３ｆによりゲート２３ｇが「Ｌ」となり、判別されない。
【００２０】
　図１５に白基準板２５を示す。白基準板２５を読み取り動作開始ごとに読み取り、白基準板内の黒線２５ａを読み取り、このデータから白（明部）からのフレア光率を求め、このフレア光率を画像読み取り時に明部に挟まれた暗部から減算する値を求めるための明部に乗算する比率とする。求めた比率は各画素データごとにフレア補正データとして保持し、ライン間演算処理が必要となったときにその都度読み出せるようにする。
【００２１】
　明部に乗算する比率の求め方は、先ず白基準板の連続した白（明部）を読んだときの画像データをＷ、読取り装置内に別途設けられている黒基準板を読んだときの画像データをＢ、白基準板に設けられた黒線を読んだときの画像データをＢｆとすると、比率Ｐerは、Ｐer＝（Ｂｆ−Ｂ）／Ｗとなる。
【００２２】
　また、この比率を乗算したデータを減算した結果、画像データが黒基準レベルより小さい場合、その画像データを黒基準レベルとする。減算された画像データを、一つの画素データごとに黒基準レベルと比較し、画素データ＞黒基準レベルの場合は画素データをそのまま出力し、画素データ＜黒基準レベルの場合、黒基準レベルを代わりに出力する。
【００２３】
　他の実施形態の原稿画像判別手段について説明する。この原稿画像判別手段においては、原稿の明部が連続した後の暗部を有するライン、又は暗部の後に明部が連続する場合の最後の暗部のラインを判別する。暗部のラインを判別すると、原稿画像判別手段は判別が行われたラインのアドレスを記憶すると共に、暗部と隣接したラインのデータを保持する。本スキャンにおいて、原稿画像判別手段２３は該当ラインに到達すると、ライン間演算手段２４に信号を出力し、ライン間演算手段２４は原稿画像判別手段２３がプレスキャン時に保持したラインデータに所定の比率を乗算したデータを暗部を有する該当ラインのデータから減算して画像の読取りを行う。
【００２４】
　また、原稿画像判別手段の明部並びに暗部を判別するための基準値を外部から設定できる。
【図面の簡単な説明】
【００２５】
【図１】第１実施形態に係る画像読取り装置のブロック図である。
【図２】画像データ信号のタイムチャートである。
【図３】原稿画像判別手段の回路図である。
【図４】画像データ信号のタイムチャートである。
【図５】原稿画像判別手段における画像データ信号の入出力状態を示すタイムチャートである。
【図６】積算平均化手段の回路図である。
【図７】第２実施形態に係る原稿画像判別手段の回路図である。
【図８】ラインデータの概念図である。
【図９】第３実施形態に係る画像読取り装置のブロック図である。
【図１０】ＣＣＤ用駆動クロックのタイムチャートである。
【図１１】第４実施形態に係る画像読取り装置のブロック図である。
【図１２】第５実施形態に係る画像読取り装置のブロック図である。
【図１３】原稿画像判別手段における画像データ信号の入出力状態を示すタイムチャートである。
【図１４】原稿画像判別手段の回路図である。
【図１５】白基準板の平面図である。
【符号の説明】
【００２６】
　１　原稿
　７　ＣＣＤ
　８　サンプルホールド回路
　１６　ＣＣＤ駆動回路
　１７　原稿画像判別手段
　１８　積算平均化手段
　１８ａ　遅延素子
　１８ｂ　記憶素子
　１７ａ　比較器
　１８ｅ　選択手段
　１９，２１　ＣＣＤ駆動制御手段
　２０　画像読取り装置
　２３　原稿画像判別手段
　２３ａ，２３ｂ　計数器
　２３ｃ，２３ｄ，２３ｅ，２３ｆ　ラッチ回路
　２３ｇ　ゲート
　２４　ライン間演算手段
　２５　白基準板
　２５ａ　黒線
　２７　積算平均化手段
　２７ａ，２７ｂ，２７ｃ　ライン記憶素子
　２７ｄ　積算平均化回路
　２７ｅ　比較器
　２７ｆ　比較器
【図１】
2004120796.tif 000003
【図２】
2004120796.tif 000004
【図３】
2004120796.tif 000005
【図４】
2004120796.tif 000006
【図５】
2004120796.tif 000007
【図６】
2004120796.tif 000008
【図７】
2004120796.tif 000009
【図８】
2004120796.tif 000010
【図９】
2004120796.tif 000011
【図１０】
2004120796.tif 000012
【図１１】
2004120796.tif 000013
【図１２】
2004120796.tif 000014
【図１３】
2004120796.tif 000015
【図１４】
2004120796.tif 000016
【図１５】
2004120796.tif 000017